(57)【特許請求の範囲】
【請求項１】
平面視矩形の建物ユニット本体部と袖壁部とからなり、袖壁部は建物ユニット本体部の一側面の両端部のうち、一端部のみから上記一側面と直交する方向へ突出して袖壁を形成してなる少なくとも２個の袖壁付建物ユニットを用いたユニット建物であって、各袖壁付建物ユニットの各袖壁部が平面視で互いに直交配置されてなるものであり、
ユニット建物の１階部分と２階部分の双方で、前側の長手方向面と右側の短手方向面とが交差するコーナー部に標準型建物ユニットを配置するとともに、この標準型建物ユニットと前側の長手方向面で隣接する位置に長手方向面側袖壁付建物ユニットを配置し、この標準型建物ユニットと右側の短手方向面で隣接する位置に短手方向面側袖壁付建物ユニットを配置し、長手方向面側袖壁付建物ユニットの袖壁部は、その建物ユニット本体部の長手方向側の一側面における上記標準型建物ユニット寄りの一端部から突出して袖壁を形成するとともに、短手方向面側袖壁付建物ユニットの袖壁部は、その建物ユニット本体部の短手方向側の一側面における上記標準型建物ユニット寄りの一端部から突出して袖壁を形成し、
ユニット建物の１階部分と２階部分の双方で、各袖壁付建物ユニットの各袖壁部が平面視で上記標準型建物ユニットを挟み、かつ互いに直交配置されるものとされ、１階部分の長手方向面側袖壁付建物ユニットと短手方向面側袖壁付建物ユニットの各袖壁部はそれらの各建物ユニット本体部の全高さ範囲に渡る袖壁を形成し、２階部分の長手方向面側袖壁付建物ユニットと短手方向面側袖壁付建物ユニットの各袖壁部はそれらの各建物ユニット本体部の下端側一定範囲に袖壁を形成し、ユニット建物の１階部分と２階部分の双方で、標準型建物ユニットの長手方向側面と短手方向側面のそれぞれに各軒下凹部空間、及び各軒下凹部空間を形成し、２階部分のＬ型に連なるそれらの軒下凹部空間をバルコニーとしてなるユニット建物。
【請求項２】
前記袖壁付建物ユニットの建物ユニット本体部における前記一側面の袖壁部に隣接する部分が引込み部とされてなる請求項１に記載のユニット建物。
【発明の詳細な説明】
【技術分野】
【０００１】
本発明はユニット建物に関する。
【背景技術】
【０００２】
従来、ユニット建物において、特許文献１、２に記載される如く、建物ユニットの一側面の両端部に、該一側面と直交する方向へ突出する袖壁を有してなるものがある。
【０００３】
特許文献１は、建物ユニットの外部に面する一側面の両端部に接合される外壁パネルの下部を基礎に支持し、建物ユニットの上に施工される屋根パネルの軒先部分を上記袖壁パネルによって支持するものを記載している。両側の袖壁パネルが建物の外部に面する一側面に形成する凹部空間の存在によって、建物前面への日差しの差し込み、風の吹き込みを抑制でき、室内空間のプライバシーを守る目隠し効果もある。
【０００４】
特許文献２は、建物ユニットとしてのＨ型ユニットの両端部に、居室部の一側面を構成する横壁部から軒先側に向けて突出し、屋根ユニットの軒先部分を支持するとともに、建物の外部に面する一側面に凹部空間を形成する袖壁部（縦壁部）を設けるものを記載している。屋根ユニットの軒先部分をＨ型ユニットの袖壁部によって支持するから、屋根ユニットの支持をＨ型ユニットのみで行なうことができ、軒先部分を支持する支柱等の別部品を削減できる。
【先行技術文献】
【特許文献】
【０００５】
【特許文献１】特開2008-144391号公報
【特許文献２】特開平6-146416号公報
【発明の概要】
【発明が解決しようとする課題】
【０００６】
特許文献１に記載の建物ユニットには以下の問題点がある。
(1)建物の外部に面する一側面に凹部空間を形成するために、建物ユニットの一側面に現地で袖壁パネルを接合する必要がある。建物ユニットに対する袖壁パネルの接合強度を確保することに困難があるし、建物の工場生産化率の向上にも困難がある。
【０００７】
特許文献２に記載の建物ユニットには以下の問題点がある。
(1)建物の外部に面する一側面に凹部空間を形成するための袖壁部がＨ型ユニットの両端部に設けられる。従って、１個のＨ型ユニットの一側面に、該Ｈ型ユニットの両端部に設けた袖壁部に挟まれる凹部空間を形成できるものの、２個のＨ型ユニットの相並んで面一をなす２つの側面に跨って連続する広幅の凹部空間を形成することができない。
【０００８】
また、Ｈ型ユニットの一方の袖壁部と隣接させて他の標準型建物ユニットの外壁部を並設配置するとき、標準型建物ユニットの外壁部に重複することとなるＨ型ユニットの袖壁部の厚み分だけ、資材の無駄を生じるし、凹部空間を徒に狭小化するものになる。
【０００９】
本発明の課題は、建物ユニットの強度及び工場生産化率を向上するとともに、ユニット建物の外部に面する側面に多様な凹部空間を簡易に形成することにある。
【課題を解決するための手段】
【００１０】
請求項１に係る発明は、平面視矩形の建物ユニット本体部と袖壁部とからなり、袖壁部は建物ユニット本体部の一側面の両端部のうち、一端部のみから上記一側面と直交する方向へ突出して袖壁を形成してなる少なくとも２個の袖壁付建物ユニットを用いたユニット建物であって、各袖壁付建物ユニットの各袖壁部が平面視で互いに直交配置されてなるものであり、ユニット建物の１階部分と２階部分の双方で、前側の長手方向面と右側の短手方向面とが交差するコーナー部に標準型建物ユニットを配置するとともに、この標準型建物ユニットと前側の長手方向面で隣接する位置に長手方向面側袖壁付建物ユニットを配置し、この標準型建物ユニットと右側の短手方向面で隣接する位置に短手方向面側袖壁付建物ユニットを配置し、長手方向面側袖壁付建物ユニットの袖壁部は、その建物ユニット本体部の長手方向側の一側面における上記標準型建物ユニット寄りの一端部から突出して袖壁を形成するとともに、短手方向面側袖壁付建物ユニットの袖壁部は、その建物ユニット本体部の短手方向側の一側面における上記標準型建物ユニット寄りの一端部から突出して袖壁を形成し、ユニット建物の１階部分と２階部分の双方で、各袖壁付建物ユニットの各袖壁部が平面視で上記標準型建物ユニットを挟み、かつ互いに直交配置されるものとされ、１階部分の長手方向面側袖壁付建物ユニットと短手方向面側袖壁付建物ユニットの各袖壁部はそれらの各建物ユニット本体部の全高さ範囲に渡る袖壁を形成し、２階部分の長手方向面側袖壁付建物ユニットと短手方向面側袖壁付建物ユニットの各袖壁部はそれらの各建物ユニット本体部の下端側一定範囲に袖壁を形成し、ユニット建物の１階部分と２階部分の双方で、標準型建物ユニットの長手方向側面と短手方向側面のそれぞれに各軒下凹部空間、及び各軒下凹部空間を形成し、２階部分のＬ型に連なるそれらの軒下凹部空間をバルコニーとしてなるようにしたものである。
【００１１】
請求項２に係る発明は、請求項１に係る発明において更に、前記袖壁付建物ユニットの建物ユニット本体部における前記一側面の袖壁部に隣接する部分が引込み部とされてなるようにしたものである。
【発明の効果】
【００１６】
（請求項１）
(a)袖壁付建物ユニットにおいて、袖壁部は建物ユニット本体部の一側面の両端部のうち、一端部のみから上記一側面と直交する方向へ突出する袖壁を有するものにした。従って、袖壁付建物ユニットの工場生産過程で、建物ユニット本体部と袖壁部とを一体製作するものであり、袖壁付建物ユニットの強度及び工場生産化率を向上できる。
【００１７】
(b)袖壁付建物ユニットは、袖壁部が建物ユニット本体部の一側面の一端部のみに設けられる。従って、袖壁付建物ユニットは、他の袖壁付建物ユニットとの組合せ、又は他の標準型建物ユニットとの組合せにより、別部品を使わずに、ユニット建物の外部に面する側面に多様な凹部空間（凹凸シルエット）を簡易に形成できる。
(c)少なくとも２個の袖壁付建物ユニットを用いたユニット建物であって、各袖壁付建物ユニットの各袖壁部が平面視で互いに直交配置される。これにより、例えば、ユニット建物のコーナー部にて直交する２つの側面のそれぞれにおいて、それらの各側面に直交する方向に突出する袖壁部が設けられる。従って、ユニット建物の外部に面する複数の側面のそれぞれに多様な凹部空間を形成し、ユニット建物の外観設計の自由度を一層高めることができる。
【００１８】
（請求項２）
(d)袖壁付建物ユニットにおいて、建物ユニット本体部における前記一側面の袖壁部に隣接する部分が引込み部とされることにより、ユニット建物の外部に面する側面に一層多様な凹部空間を簡易に形成できる。
【図面の簡単な説明】
【００２３】
【図１】図１は参考例１のユニット建物を示す模式斜視図である。
【図２】図２は袖壁付建物ユニットを示し、（Ａ）は長手方向面側袖壁付建物ユニットの一例を示す模式斜視図、（Ｂ）は長手方向面側袖壁付建物ユニットの他の例を示す模式斜視図である。
【図３】図３はユニット建物の変形例を示す模式斜視図である。
【図４】図４は建物ユニットを示し、（Ａ）は１階平面レイアウト図、（Ｂ）は２階平面レイアウト図である。
【図５】図５は参考例２のユニット建物を示す模式斜視図である。
【図６】図６は袖壁付建物ユニットを示し、（Ａ）は短手方向面側袖壁付建物ユニットの一例を示す模式斜視図、（Ｂ）は短手方向面側袖壁付建物ユニットの他の例を示す模式斜視図である。
【図７】図７はユニット建物の変形例を示す模式斜視図である。
【図８】図８は建物ユニットを示し、（Ａ）は１階平面レイアウト図、（Ｂ）は２階平面レイアウト図である。
【図９】図９は参考例３のユニット建物を示す模式斜視図である。
【図１０】図１０は建物ユニットを示し、（Ａ）は１階平面レイアウト図、（Ｂ）は２階平面レイアウト図である。
【図１１】図１は実施例１のユニット建物を示す模式斜視図である。
【図１２】図１２は建物ユニットを示し、（Ａ）は１階平面レイアウト図、（Ｂ）は２階平面レイアウト図である。
【発明を実施するための形態】
【００２４】
（参考例１）（図１〜図４）
図1に示したユニット建物１００は、基礎１の上に、工場生産された複数個の標準型建物ユニット１０と、工場生産された複数個の長手方向面側袖壁付建物ユニット２０とを隣接設置して構築されたものである。
【００２５】
尚、本明細書において、ユニット建物１００等を構成する各建物ユニット１０、２０等は、鉄骨系構造体からなるものでも良く、木質系構造体からなるものでも良い。また、各建物ユニットは、軸組式構造体からなるものでも良く、壁組式構造体からなるものでも良い。
【００２６】
ユニット建物１００は、基礎１の上に４個の標準型建物ユニット１０及び２個の長手方向面側袖壁付建物ユニット２０を隣接設置して、１階部分を構成している。１階部分を構成する各標準型建物ユニット１０は、基本的形態を直方体状としている。また、１階部分を構成する各長手方向面側袖壁付建物ユニット２０は、ユニット建物１００の外部に面する前側の長手方向面に設置され、それらの基本的形態を後述する袖壁付とされている。
【００２７】
本参考例のユニット建物１００では、１階部分の平面視における中央部と後側の長手方向面のそれぞれにて各１列をなすように隣接する各２個の標準型建物ユニット１０を配置し、１階部分の平面視における前側の長手方向面にて１列をなすように隣接する２個の長手方向面側袖壁付建物ユニット２０を配置している。そして、ユニット建物１００の長手方向で相隣る標準型建物ユニット１０同士はそれらの短手方向の長さを同一にし、ユニット建物１００の短手方向で相隣る標準型建物ユニット１０及び長手方向面側袖壁付建物ユニット２０同士はそれらの長手方向の長さを同一にしている。また、ユニット建物１００の長手方向で相隣る長手方向面側袖壁付建物ユニット２０の後述する建物ユニット本体部２１同士はそれらの短手方向の長さを同一にしている。
【００２８】
ユニット建物１００は、１階部分を構成する各標準型建物ユニットの上に、同一平面形状の各標準型建物ユニット１０を搭載するとともに、１階部分を構成する各長手方向面側袖壁付建物ユニット２０の上に、同一平面形状の各長手方向面側袖壁付建物ユニット２０を搭載して、２階部分を構成している。ユニット建物１００は、２階部分を構成する各建物ユニット１０、２０の上に、それらの建物ユニット１０、２０に対応する各屋根ユニットを搭載して屋根４０を形成する。
【００２９】
ここで、長手方向面側袖壁付建物ユニット２０は、基本的形態を図２（Ａ）に示す如く、平面視矩形で直方体状をなす建物ユニット本体部２１と、袖壁部２２とからなる。袖壁部２２は、建物ユニット本体部２１の長手方向側の一側面２１Ｆの両端部のうち、一端部のみから上記一側面２１Ｆと直交する方向へ一定長Ｊだけ突出して袖壁２２Ａを形成する。袖壁２２Ａは、通常は建物ユニット本体部２１の高さ方向に沿う下端部から上端部の全高さ範囲に渡って設けられるものの、その下端部から中間部までの下端側一定範囲等、建物ユニット本体部２１の全高さ範囲のうちの一部範囲にのみ対応して設けられるものでも良い。
【００３０】
ユニット建物１００において、１階部分（又は２階部分）に隣接設置される２個の長手方向面側袖壁付建物ユニット２０は、互いに左右対称配置され、一方の長手方向面側袖壁付建物ユニット２０における袖壁部２２の袖壁２２Ａをその建物ユニット本体部２１における上記一側面２１Ｆの左側の一端部から突出し、他方の長手方向面側袖壁付建物ユニット２０における袖壁部２２の袖壁２２Ａをその建物ユニット本体部２１における上記一側面２１Ｆの右側の一端部から突出するものとしている。長手方向面側袖壁付建物ユニット２０の建物ユニット本体部２１は、屋根４０を支持するともに、隣接配置される他の標準型建物ユニット１０及び長手方向面側袖壁付建物ユニット２０の居室部とつながる居室部を形成する。長手方向面側袖壁付建物ユニット２０の袖壁部２２は、屋根４０の軒先部分を支持する。
【００３１】
尚、２個の長手方向面側袖壁付建物ユニット２０は、それらの建物ユニット本体部２１の長手方向の長さをＬ、短手方向の長さをＲ、それらの袖壁部２２の突出高さを前述のＪとするとき、本参考例では、それらのＬ、Ｒ、Ｊのそれぞれを互いに同一長さにしている。但し、それらのＬ、Ｒ、Ｊのそれぞれを互いに異なる長さとしても良い。
【００３２】
ここで、長手方向面側袖壁付建物ユニット２０は、図２（Ｂ）に示す如く、建物ユニット本体部２１における前記一側面２１Ｆの袖壁部２２に隣接する部分が引込み部２３とされてなるものでも良い。長手方向面側袖壁付建物ユニット２０の引込み部２３とされてなるものでも良い。長手方向面側袖壁付建物ユニット２０の引込み部２３は、ユニット建物１００に採用されるとき、袖壁付引込みエントランス等を形成することができる。
【００３３】
従って、ユニット建物１００は、１階部分と２階部分の双方で、２個の長手方向面側袖壁付建物ユニット２０が並設配置され、各長手方向面側袖壁付建物ユニット２０の袖壁部２２が、一方の袖壁付建物ユニット２０の建物ユニット本体部２１の前記一側面２１Ｆ及び他方の袖壁付建物ユニット２０の建物ユニット本体部２１の前記一側面２１Ｆを介して離隔され、かつ互いに平行をなして相向い合うように配置される。
【００３４】
これにより、１階部分と２階分部の双方で、２個の長手方向面側袖壁付建物ユニット２０が相並んで面一をなす２つの一側面２１Ｆに跨って連続する広幅の軒下凹部空間１０１、１０２が形成される。
【００３５】
図３、図４に示したユニット建物１００Ｋは、図１に示したユニット建物１００の変形例であり、１階部分の床下凹部空間１０１にウッドデッキ１０１Ａを現地施工して設け、２階部分の軒下凹部空間１０２にバルコニー１０２Ａを設けたものである。このとき、工場生産されたウッドデッキユニット、バルコニーユニットを施工現場に持ち込み施工しても良い。
【００３６】
尚、ユニット建物１００Ｋは、ユニット建物１００において１階部分の右側の短手方向面と後側の長手方向面（両長手方向面側袖壁付建物ユニット２０が配置される前側の長手方向面に対する反対側の長手方向面）とが交差するコーナー部に配置される標準型建物ユニット１０を、図５（Ｂ）で後述する短手方向面側袖壁付建物ユニット３０に置き換えた。短手方向面側袖壁付建物ユニット３０は、建物ユニット本体部３１において袖壁３２Ａが突出している一側面３１Ｇの袖壁部３２に隣接する部分に引込み部３３を設けたものである。短手方向面側袖壁付建物ユニット３０は、短手方向で隣接する他の標準型建物ユニット１０の外部に面する短手方向側面１０Ｇに対し、建物ユニット本体部３１を一定長さだけ引込ませ、かつ袖壁部３２を一定長さだけ突出させている。これにより、ユニット建物１００Ａは短手方向面側袖壁付建物ユニット３０が引込み部３３が形成する袖壁付引込エントランス１０３を形成するものになる。
【００３７】
本参考例によれば以下の作用効果を奏する。
(a)袖壁付建物ユニット２０において、袖壁部２２は建物ユニット本体部２１の一側面２１Ｆの両端部のうち、一端部のみから上記一側面２１Ｆと直交する方向へ突出する袖壁２２Ａを有するものにした。従って、袖壁付建物ユニット２０の工場生産過程で、建物ユニット本体部２１と袖壁部２２とを一体製作するものであり、袖壁付建物ユニット２０の強度及び工場生産化率を向上できる。
【００３８】
(b)袖壁付建物ユニット２０は、袖壁部２２が建物ユニット本体部２１の一側面２１Ｆの一端部のみに設けられる。従って、袖壁付建物ユニット２０は、他の袖壁付建物ユニット２０との組合せ、又は他の標準型建物ユニットとの組合せにより、別部品を使わずに、ユニット建物１００、１００Ｋの外部に面する側面に多様な軒下凹部空間１０１、１０２（凹凸シルエット）を簡易に形成できる。
【００３９】
(c)袖壁付建物ユニット２０において、建物ユニット本体部２１における前記一側面２１Ｆの袖壁部２２に隣接する部分が引込み部２３とされることにより、ユニット建物１００、１００Ｋの外部に面する側面に一層多様な袖壁付引込みエントランス等の凹部空間を簡易に形成できる。
【００４０】
(d)２個の袖壁付建物ユニット２０が並設配置され、各袖壁付建物ユニット２０の袖壁部２２が、一方の袖壁付建物ユニット２０の建物ユニット本体部２１の前記一側面２１Ｆ及び他方の袖壁付建物ユニット２０の建物ユニット本体部２１の前記一側面２１Ｆを介して離隔され、かつ互いに平行をなして相向い合うように配置される。これにより、２個の袖壁付建物ユニット２０が相並んで面一をなす２つの側面に跨って連続する広幅のウッドデッキ１０１Ａ、バルコニー１０２Ａ等の軒下凹部空間１０１、１０２を形成できる。
【００４１】
（参考例２）（図５〜図８）
図５に示したユニット建物２００は、基礎１の上に、工場生産された複数個の標準型建物ユニット１０と、工場生産された複数個の短手方向面側袖壁付建物ユニット３０とを隣接設置して構築されたものである。
【００４２】
ユニット建物２００は、基礎１の上に４個の標準型建物ユニット１０及び２個の短手方向面側袖壁付建物ユニット３０を隣接設置して、１階部分を構成している。１階部分を構成する各標準型建物ユニット１０は、基本的形態を直方体状としている。また、１階部分を構成する各短手方向面側袖壁付建物ユニット３０は、ユニット建物２００の外部に面する右側の短手方向面に設置され、それらの基本的形態を後述する袖壁付とされている。
【００４３】
本参考例のユニット建物２００では、１階部分の平面視における左側の短手方向面のそれぞれにて各１列をなすように隣接する３個の標準型建物ユニット１０を配置し、１階部分の平面視における右側の短手方向面にて前側から後側に向けて短手方向面側袖壁付建物ユニット３０、標準型建物ユニット１０、短手方向面側袖壁付建物ユニット３０の順に一列をなすように隣接する前後２個の短手方向面側袖壁付建物ユニット３０及びそれらの袖壁付建物ユニット３０に挟まれる中央１個の標準型建物ユニット１０を配置している。そして、各建物ユニット１０、３０の長手方向で相隣る建物ユニット１０、３０同士はそれらの短手方向の長さを同一にし、左側の短手方向面で一列をなす各建物ユニット１０の短手方向で相隣る建物ユニット１０同士はそれらの長手方向の長さを同一にしている。また、右側の短手方向面で一列をなす各建物ユニット３０、１０の短手方向で相隣る短手方向面側袖壁付建物ユニット３０の後述する建物ユニット本体部３１及び標準型建物ユニット１０同士はそれらの長手方向の長さを同一にしている。
【００４４】
ユニット建物２００は、１階部分を構成する各標準型建物ユニットの上に、同一平面形状の各標準型建物ユニット１０を搭載するとともに、１階部分を構成する各短手方向面側袖壁付建物ユニット３０の上に、同一平面形状の各短手方向面側袖壁付建物ユニット３０を搭載して、２階部分を構成している。ユニット建物２００は、２階部分を構成する各建物ユニット１０、２０の上に、それらの建物ユニット１０、２０に対応する各屋根ユニット４０を搭載する。
【００４５】
ここで、短手方向面側袖壁付建物ユニット３０は、基本的形態を図６（Ａ）に示す如く、平面視矩形で直方体状をなす建物ユニット本体部３１と、袖壁部３２とからなる。袖壁部３２は、建物ユニット本体部３１の短手方向側の一側面３１Ｇの両端部のうち、一端部のみから上記一側面３１Ｇと直交する方向へ一定長Ｋだけ突出して袖壁３２Ａを形成する。袖壁３２Ａは、通常は建物ユニット本体部３１の高さ方向に沿う下端部から上端部の全高さ範囲に渡って設けられるものの、その下端部から中間部までの下端側一定範囲等、建物ユニット本体部３１の全高さ範囲のうちの一部範囲にのみ対応して設けられるものでも良い。
【００４６】
ユニット建物２００において、１階部分（又は２階部分）に中央の標準型建物ユニット１０を挟んで設置される２個の短手方向面側袖壁付建物ユニット３０は、互いに左右対称配置され、一方の短手方向面側袖壁付建物ユニット３０における袖壁部３２の袖壁３２Ａをその建物ユニット本体部３１における上記一側面３１Ｇの左側の一端部から突出し、他方の短手方向面側袖壁付建物ユニット３０における袖壁部３２の袖壁３２Ａをその建物ユニット本体部３１における上記一側面３１Ｇの右側の一端部から突出するものとしている。短手方向面側袖壁付建物ユニット３０の建物ユニット本体部３１は、屋根４０を支持するともに、隣接配置される他の標準型建物ユニット１０及び短手方向面側袖壁付建物ユニット３０の居室部とつながる居室部を形成する。短手方向面側袖壁付建物ユニット３０の袖壁部３２は、屋根４０の軒先部分を支持する。
【００４７】
尚、２個の短手方向面側袖壁付建物ユニット３０は、それらの建物ユニット本体部３１の長手方向の長さをＭ、短手方向の長さをＳ、それらの袖壁部３２の突出高さを前述のＫとするとき、本参考例では、それらのＭ、Ｓ、Ｋのそれぞれを互いに同一長さにしている。但し、それらのＭ、Ｓ、Ｋのそれぞれを互いに異なる長さとしても良い。
【００４８】
ここで、短手方向面側袖壁付建物ユニット３０は、図６（Ｂ）に示す如く、建物ユニット本体部３１における前記一側面３１Ｇの袖壁部３２に隣接する部分が引込み部３３とされてなるものでも良い。短手方向面側袖壁付建物ユニット３０の引込み部３３とされてなるものでも良い。短手方向面側袖壁付建物ユニット３０の引込み部３３は、ユニット建物２００に採用されるとき、袖化壁付引込みエントランス等を形成することができる。
【００４９】
従って、ユニット建物２００は、１階部分と２階部分の双方で、２個の並設配置された短手方向面側袖壁付建物ユニット３０の間に、袖壁部がなく、両方の短手方向面側袖壁付建物ユニット３０の各一側面３１Ｇと面一をなす短手方向側面１０Ｇを有する他の標準型建物ユニット１０が配置される。このとき、各短手方向面側袖壁付建物ユニット３０の袖壁部３２は、各袖壁付建物ユニット３０の各一側面３１Ｇ及び標準型建物ユニット１０の短手方向側面１０Ｇを介して離隔され、かつ互いに平行をなして相向い合うように配置される。
【００５０】
これにより、ユニット建物２００は、１階部分と２階部分の双方に、２個の両側の短手方向面側袖壁付建物ユニット３０、及び１個の中央の標準型建物ユニット１０が相並んで面一をなす３つの側面３１Ｇ、１０Ｇに跨って連続する広幅の軒下凹部空間２０１、２０２が形成される。
【００５１】
図７、図８に示したユニット建物２００Ｋは、図５に示したユニット建物２００の変形例であり、１階部分の軒下凹部空間２０１にウッドデッキ２０１Ａを現地施工して設け、２階部分の軒下凹部空間２０２にバルコニー２０２Ａを現地施工して設けたものである。このとき、工場生産されたウッドデッキユニット、バルコニーユニットを施工現場に持ち込み施工しても良い。
【００５２】
（参考例３）（図９、図１０）
図９、図１０に示したユニット建物３００は、基礎１の上に工場生産された複数個の標準型建物ユニット１０と、工場生産された複数個の袖壁付建物ユニット２０、３０とを隣接設置されたものである。
【００５３】
ユニット建物３００は、１階部分と２階部分の双方で、前側の長手方向面と右側の短手方向面とが交差するコーナー部に図２で前述した長手方向面側袖壁付建物ユニット２０を配置するとともに、この長手方向面側袖壁付建物ユニット２０と並設される標準型建物ユニット１０を前側の長手方向面に配置した。
【００５４】
長手方向面側袖壁付建物ユニット２０の袖壁部２２は、ユニット建物３００の上記コーナー部に位置付けられ、袖壁２２Ａが突出している一側面２１Ｆを介して上記標準型建物ユニット１０の外壁部１１が形成する短手方向側面１０Ｇと離隔され、かつ互いに平行をなして相向い合うように配置される。ユニット建物３００の１階部分と２階部分の双方で、標準型建物ユニット１０は、長手方向面側袖壁付建物ユニット２０における上記一側面２１Ｆの袖壁部２２がない他端部と入隅５１、５２を形成し、入隅５１、５２を含んだ軒下凹部空間３０１、３０２を形成するものになる。
【００５５】
これにより、ユニット建物３００の１階部分と２階部分の双方で、標準型建物ユニット１０の外壁部１１と袖壁付建物ユニット２０の袖壁部２２の２つの壁部が互いに重複することなく、入隅５１、５２を形成できる。壁部の重複をなくした分だけ、資材の無駄をなくし、入隅５１、５２を含む軒下凹部空間３０１、３０２の狭小化を回避できる。
【００５６】
ユニット建物３００は、１階部分の軒下凹部空間３０１にサンルーム３０１Ａを現地施工して設け、２階部分の軒下凹部空間３０２にバルコニー３０２Ａを現地施工して設けるものである。このとき、工場生産されたサンルームユニット、バルコニーユニットを施工現場に持ち込み施工しても良い。
【００５７】
尚、ユニット建物３００にあっては、１階部分の右側の短手方向面と、後側の長手方向面とが交差するコーナー部に図６で前述した短手方向面側袖壁付建物ユニット３０を配置してある。短手方向面側袖壁付建物ユニット３０は、短手方向で隣接する他の標準型建物ユニット１０の外部に面する短手方向側面１０Ｇに対し、建物ユニット本体部３１を一定長さだけ引き込ませ、かつ袖壁部３２を一定長さだけ突出させて、建物ユニット本体部３１において袖壁３２Ａが突出している一側面３１Ｇの袖壁部３２に隣接する部分を引込み部３３としたものである。これにより、ユニット建物３００は、短手方向面側袖壁付建物ユニット３０の引込み部３３が形成する袖壁付引込エントランス３０３を形成するものである。
【００５８】
（実施例１）（図１１、図１２）
図１１、図１２に示したユニット建物４００は、基礎１の上に、工場生産された複数個の標準型建物ユニット１０と、工場生産された複数個の袖壁付建物ユニット２０、３０とを隣接設置されたものである。
【００５９】
ユニット建物４００は、１階部分と２階部分の双方で、前側の長手方向面と右側の短手方向面とが交差するコーナー部に標準型建物ユニット１０を配置するとともに、この標準型建物ユニット１０と前側の長手方向面で隣接する位置に図２で前述した長手方向面側袖壁付建物ユニット２０を配置し、この標準型建物ユニット１０と右側の短手方向面で隣接する位置に図６で前述した短手方向面側袖壁付建物ユニット３０を配置した。
【００６０】
長手方向面側袖壁付建物ユニット２０の袖壁部２２は、建物ユニット本体部２１の長手方向側の一側面２１Ｆにおける上記標準型建物ユニット１０寄りの一端部から突出して袖壁２２Ａを形成する。短手方向面側袖壁付建物ユニット３０の袖壁部３２は、建物ユニット本体部３１の短手方向側の一側面３１Ｇにおける上記標準型建物ユニット１０寄りの一端部から突出して袖壁３２Ａを形成する。ユニット建物４００の１階部分と２階部分の双方で、各袖壁付建物ユニット２０、３０の各袖壁部２２、３２が平面視で上記標準型建物ユニット１０を挟み、かつ互いに直交配置されるものになる。１階部分の各袖壁付建物ユニット２０、３０の各袖壁部２２、３２は各建物ユニット本体部２１、３１の全高さ範囲に渡る袖壁２２Ａ、３２Ａを形成する。２階部分の各袖壁付建物ユニット２０、３０の各袖壁部２２、３２は各建物ユニット本体部２１、３１の下端側一定範囲に袖壁２２Ａ、３２Ａを形成する。
【００６１】
これにより、ユニット建物４００の１階部分と２階部分の双方で、外部に面する２つの側面（標準型建物ユニット１０の長手方向側面１０Ｆと短手方向側面１０Ｇ）のそれぞれに軒下凹部空間４０１Ｆ、４０１Ｇ、及び軒下凹部空間４０２Ｆ、４０２Ｇを形成し、ユニット建物４００の外観設計の自由度を一層高めることができる。
【００６２】
ユニット建物４００は、１階部分のＬ型に連なる軒下凹部空間４０１Ｆ、４０１Ｇをプライベート空間４０１Ａとし、２階部分のＬ型に連なる軒下凹部空間４０２Ｆ、４０２Ｇを現地施工にてバルコニー４０２Ａとするものである。このとき、工場生産されたバルコニーユニットを施工現場に持ち込み施工しても良い。
【００６３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明が適用されるユニット建物は、２個以上の袖壁付建物ユニットの各種組合せ、又は１個以上の袖壁付建物ユニットと他の建物ユニットとの各種組合せにより、外部に面する多様な凹部空間を形成し、外観設計の自由度を高めることができる。
【産業上の利用可能性】
【００６４】
本発明によれば、建物ユニットの強度及び工場生産化率を向上するとともに、ユニット建物の外部に面する側面に多様な凹部空間を簡易に形成することができる。
【符号の説明】
【００６５】
１０  標準型建物ユニット（他の建物ユニット）
２０、３０  袖壁付建物ユニット
２１、３１  建物ユニット本体部
２１Ｆ、３１Ｇ  一側面
２２、３２  袖壁部
２２Ａ、３２Ａ  袖壁
２３、３３  引込み部
１００、１００Ｋ、２００、２００Ｋ、３００、４００  ユニット建物
１０１、１０２、２０１、２０２、４０１Ｆ、４０１Ｇ、４０２Ｆ、４０２Ｇ  凹部空間
３０１、３０２  入隅
【図１】
0006637283.tif 000002
【図２】
0006637283.tif 000003
【図３】
0006637283.tif 000004
【図４】
0006637283.tif 000005
【図５】
0006637283.tif 000006
【図６】
0006637283.tif 000007
【図７】
0006637283.tif 000008
【図８】
0006637283.tif 000009
【図９】
0006637283.tif 000010
【図１０】
0006637283.tif 000011
【図１１】
0006637283.tif 000012
【図１２】
0006637283.tif 000013